【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
医用画像表示装置であって、
前記医用画像表示装置のユーザを識別するユーザ情報を取得するユーザ情報取得手段と、
入力された３次元医用画像データから表示対象の医用画像を生成するための画像処理条件、および／または、該表示対象の医用画像の表示条件が、解剖学的構造物および／または病変に関する情報と関連づけられて定義された表示プロトコルを記憶する表示プロトコル記憶手段と、
前記入力医用画像データから生成された読影対象の画像に対する所見を含む読影レポート情報から、前記所見中の解剖学的構造物および／または病変に関する情報を抽出する抽出手段と、
前記抽出された解剖学的構造物および／または病変に関する情報に基づいて、前記表示プロトコル記憶手段に記憶された前記表示プロトコルからの選択によって、前記入力医用画像データに対する前記表示プロトコルを決定する表示プロトコル決定手段と、
前記決定された表示プロトコルに基づいて、前記入力医用画像データからの前記表示対象の医用画像の生成、および／または、前記表示対象の医用画像の表示制御を行う画像処理・表示制御手段とを備え、
前記画像処理条件は、前記表示対象の医用画像の種類および／または前記表示対象の医用画像の位置および／または前記表示対象の医用画像の傾きを表すものであり、
前記表示プロトコルは、前記ユーザ、または、複数の前記ユーザからなるグループを識別するグループ情報とさらに関連づけられたものであり、
前記表示プロトコル決定手段は、前記ユーザまたは前記グループ情報にさらに基づいて、前記表示プロトコルを決定するものであることを特徴とする医用画像表示装置。
【請求項２】
前記表示プロトコルは、入力医用画像データのモダリティとさらに関連づけられたものであり、
前記表示プロトコル決定手段は、前記入力医用画像データのモダリティにさらに基づいて前記入力医用画像データに対する表示プロトコルを決定するものであることを特徴とする請求項１に記載の医用画像表示装置。
【請求項３】
前記表示プロトコルは、前記入力医用画像データと所定の関連性を有する関連医用画像データからさらなる表示対象の関連医用画像を生成するための画像処理条件、および、該さらなる表示対象の医用画像の表示条件がさらに定義されたものであり、
医用画像データと、該医用画像データの属性情報であって前記所定の関連性の判断に利用可能な情報とが関連づけられて格納された医用画像データベースと、
前記入力医用画像データと前記所定の関連性を有する関連医用画像データの検索を前記医用画像データベースに対して行う関連画像検索手段とをさらに備え、
前記表示プロトコル決定手段が、前記検索の結果にさらに基づいて、前記さらなる表示対象の関連医用画像を生成するための関連医用画像データを決定するとともに、前記表示プロトコルを決定するものであり、
前記画像処理・表示制御手段が、前記決定された表示プロトコルに基づいて、前記さらなる表示対象の医用画像を生成するための関連医用画像データを前記医用画像データベースから取得し、前記表示対象の医用画像および前記さらなる表示対象の関連医用画像を表示させるものであることを特徴とする請求項１または２に記載の医用画像表示装置。
【請求項４】
前記表示プロトコルは、前記入力医用画像データと所定の関連性を有する関連医用画像データからさらなる表示対象の関連医用画像を生成するための画像処理条件、および、該さらなる表示対象の医用画像の表示条件がさらに定義されたものであり、
医用画像データと、該医用画像データの属性情報であって前記所定の関連性の判断に利用可能な情報とが関連づけられて格納された医用画像データベースをさらに備え、
前記画像処理・表示制御手段が、前記決定された表示プロトコルに基づいて、前記入力医用画像との間で前記決定された表示プロトコルに定義された前記所定の関連性を有する関連画像データを前記医用画像データベースから取得し、前記表示対象の医用画像および前記さらなる表示対象の関連医用画像を表示させるものであることを特徴とする請求項１または２に記載の医用画像表示装置。
【請求項５】
前記表示プロトコル記憶手段に記憶されている表示プロトコルの変更、および／または、新たな表示プロトコルの追加を受け付ける表示プロトコル編集手段をさらに備えたことを特徴とする請求項１から４のいずれか１項に記載の医用画像表示装置。
【請求項６】
ユーザ情報取得手段と、表示プロトコル記憶手段と、抽出手段と、表示プロトコル決定手段と、画像処理・表示制御手段とを備えた医用画像表示装置における医用画像表示方法であって、
前記医用画像表示装置のユーザを識別するユーザ情報を取得するステップと、
入力された３次元医用画像データから生成された読影対象の画像に対する所見を含む読影レポート情報から、前記所見中の解剖学的構造物および／または病変に関する情報を抽出するステップと、
前記抽出された解剖学的構造物および／または病変に関する情報に基づいて、記憶手段に記憶された、前記入力医用画像データから表示対象の医用画像を生成するための画像処理条件、および／または、該表示対象の医用画像の表示条件が、解剖学的構造物および／または病変に関する情報と関連づけられて定義された表示プロトコルからの選択によって、前記入力医用画像データに対する表示プロトコルを決定するステップと、
前記決定された表示プロトコルに基づいて前記表示対象の医用画像の生成、および／または、前記表示対象の医用画像の表示制御を行うステップとを有し、
前記画像処理条件は、前記表示対象の医用画像の種類および／または前記表示対象の医用画像の位置および／または前記表示対象の医用画像の傾きを表すものであり、
前記表示プロトコルは、前記ユーザ、または、複数の前記ユーザからなるグループを識別するグループ情報とさらに関連づけられたものであり、
前記表示プロトコル決定するステップは、前記ユーザまたは前記グループ情報にさらに基づいて、前記表示プロトコルを決定するものであることを特徴とする医用画像表示方法。
【請求項７】
コンピュータに、
前記コンピュータのユーザを識別するユーザ情報を取得するステップと、
入力された３次元医用画像データから生成された読影対象の画像に対する所見を含む読影レポート情報から、前記所見中の解剖学的構造物および／または病変に関する情報を抽出するステップと、
前記抽出された解剖学的構造物および／または病変に関する情報に基づいて、記憶手段に記憶された、前記入力医用画像データから表示対象の医用画像を生成するための画像処理条件、および／または、該表示対象の医用画像の表示条件が、解剖学的構造物および／または病変に関する情報と関連づけられて定義された表示プロトコルからの選択によって、前記入力医用画像データに対する表示プロトコルを決定するステップと、
前記決定された表示プロトコルに基づいて前記表示対象の医用画像の生成、および／または、前記表示対象の医用画像の表示制御を行うステップとを実行させる医用画像表示プログラムであって、
前記画像処理条件は、前記表示対象の医用画像の種類および／または前記表示対象の医用画像の位置および／または前記表示対象の医用画像の傾きを表すものであり、
前記表示プロトコルは、前記ユーザ、または、複数の前記ユーザからなるグループを識別するグループ情報とさらに関連づけられたものであり、
前記表示プロトコル決定するステップは、前記ユーザまたは前記グループ情報にさらに基づいて、前記表示プロトコルを決定するものであることを特徴とする医用画像表示プログラム。